(57)【要約】      （修正有）【課題】原稿データを符号化して生成した符号化画像が紙媒体のサイズを超える場合に、原稿データとの対応関係を取りながら符号化画像を複数ページに分割して生成する。【解決手段】情報端末装置１０１において、符号化画像生成部２１２は、印刷データ生成部２１１が生成した印刷データから、符号化画像を生成する。分割符号化画像生成部２１３は、符号化画像を紙媒体に印刷した場合に要するサイズが紙媒体のサイズを超える場合に、夫々が紙媒体のサイズに収まるように符号化画像を複数ページの分割符号化画像に分割し、各分割符号化画像の紙媒体の各ページへの印刷を第２プリンタドライバ部２１４に指示する。第２プリンタドライバ部は、印刷装置に対して、第１プリンタドライバ部から引き渡された各分割符号化画像の紙媒体の各ページへの印刷を指示する。紙媒体の各ページに印刷された分割符号化画像は、複合機で読み込まれて再構成され、製版印刷される。【選択図】図２
2018191037.tif 000002
【特許請求の範囲】
【請求項１】
原稿データを符号化して符号化画像を生成する符号化画像生成部と、
前記符号化画像を紙媒体に印刷した場合に要するサイズが前記紙媒体のサイズを超える場合に、夫々が前記紙媒体のサイズに収まるように前記符号化画像を複数ページの分割符号化画像に分割し、前記各分割符号化画像を前記紙媒体の各ページに印刷する分割符号化画像生成部と、
を備えることを特徴とする情報処理装置。
【請求項２】
前記分割符号化画像生成部は、前記原稿データ中の画像データ部分に対応する符号化画像と前記原稿データ中の文字データ部分に対応する符号化画像とを、それぞれ異なる前記分割符号化画像に分割する、ことを特徴とする請求項１に記載の情報処理装置。
【請求項３】
前記分割符号化画像生成部は、前記分割符号化画像の夫々に、前記分割符号化画像が前記符号化画像から何番目に分割されたかを示すページ数情報と、前記符号化画像中での前記分割符号化画像の範囲を示す領域情報とを付加する、ことを特徴とする請求項１又は２に記載の情報処理装置。
【請求項４】
紙媒体に印刷された分割符号化画像を読み取る読取り部と、
前記読取り部が読み取った前記分割符号化画像を復号する復号部と、
前記復号データ毎に印刷すべき画像領域を確定する画像領域確定部と、
符号化画像から分割された全ての紙媒体に印刷されている全ての分割符号化画像に対して前記読取り部、前記復号部、及び前記画像領域確定部による処理が終了した後に、前記符号化画像に対応する全ての前記画像領域が確定した全ての前記復号データの印刷を実行する印刷実行部と、
を備えることを特徴とする画像形成装置。
【請求項５】
前記画像領域確定部は、前記復号データにそれぞれ含まれる、前記分割符号化画像が前記符号化画像から何番目に分割されたかを示すページ数情報と、前記符号化画像中での前記分割符号化画像の範囲を示す領域情報に基づいて、前記画像領域を確定する、ことを特徴とする請求項４に記載の画像形成装置。
【請求項６】
前記ページ数情報に基づいて、前記符号化画像に対応する全ての前記画像領域が確定した全ての前記復号データの印刷を実行するために不足しているページ数に関する情報をユーザに報知する報知部を更に備える、ことを特徴とする請求項５に記載の画像形成装置。
【発明の詳細な説明】
【技術分野】
【０００１】
原稿データを符号化して符号化画像を生成する情報処理装置、原稿読取装置にて読み取った紙原稿上の符号化された画像を復号して印刷を実行する画像形成装置、及びそれら一連の処理を実行する印刷方法に関する。
【背景技術】
【０００２】
学校等のネットワーク完了が整っていない場所でオフラインで使用される印刷機を対象として、原稿データを符号化して生成した符号化画像を手元のプリンタで紙媒体に一旦印刷し、オフラインの印刷機にてその紙媒体上の符号化画像を読み取ってこの符号化画像から原稿データを復元して印刷できるようにした技術（以下「ペーパインタフェース機能」と呼ぶ）が知られている。この技術によれば、元の原稿データの品質を落とさずにオフライン印刷が可能となり、また、紙媒体を印刷機に置き忘れても符号化画像は直接には判読できないためセキュリティ上安全なオフライン印刷が可能となる。
【０００３】
上述のペーパインタフェース機能において、原稿データを符号化するにあたり、原稿データが高解像度データである場合には符号化画像も大きなサイズのデータとなってしまうため、特定サイズ（例えばＡ４サイズ）の紙に収まりきらなくなることが想定される。このような場合に、複数ページの用紙に対して符号化画像を分割して印刷することが考えられるが、ユーザは１枚の原稿データの製版に対して何ページの紙媒体が必要なのかが分かりづらく、印刷機への印刷動作において使い勝手が悪いという課題がある。
【０００４】
従来、原稿を読みとって符号化により２値化した画データを暗号化し、その暗号化した画データを複数に分割すると共に、各々の分割した画データにそれぞれ識別子を生成して暗号化文書を出力する技術が知られている（例えば特許文献１）。
【先行技術文献】
【特許文献】
【０００５】
【特許文献１】特開平１０−２００７５９号
【発明の概要】
【発明が解決しようとする課題】
【０００６】
しかしながら、上述の従来技術は、極秘文書を分割暗号化して保存することにより内容の漏洩を防止し、かつ、分割した極秘文書が過半数揃わないと復元することができない画像形成装置を提供することを目的としたものであり、印刷機への印刷動作において符号化画像と原稿データとの対応関係を把握できるものではなかった。
【０００７】
そこで、本発明は、原稿データを符号化して生成した符号化画像が紙媒体のサイズを超える場合に、原稿データとの対応関係を取りながら符号化画像を複数ページに分割して生成可能とすることを目的とする。
【課題を解決するための手段】
【０００８】
態様の一例では、原稿データを符号化して符号化画像を生成する符号化画像生成部と、符号化画像を紙媒体に印刷した場合に要するサイズが紙媒体のサイズを超える場合に、夫々が紙媒体のサイズに収まるように符号化画像を複数ページの分割符号化画像に分割し、各分割符号化画像を紙媒体の各ページに印刷する分割符号化画像生成部と、を備える。
【発明の効果】
【０００９】
本発明によれば、原稿データを符号化して生成した符号化画像が紙媒体のサイズを超える場合に、原稿データとの対応関係を取りながら符号化画像を複数ページに分割して生成することが可能となる。
【図面の簡単な説明】
【００１０】
【図１】画像形成システムの実施形態のシステム構成例を示す図である。
【図２】情報処理である情報端末装置の実施形態の構成例を示すブロック図である。
【図３】画像形成装置である複合機の実施形態の構成例を示すブロック図である。
【図４】符号化画像の例を示す図である。
【図５】実施形態の動作説明図である。
【図６】情報処理装置の処理例を示すフローチャートである。
【図７】画像形成装置の処理例を示すフローチャートである。
【発明を実施するための形態】
【００１１】
以下、本発明を実施するための形態について図面を参照しながら詳細に説明する。図１は、画像形成システムの実施形態のシステム構成例を示す図である。図１に示されるように、画像形成システム１００は、情報処理装置である情報端末装置１０１と、情報端末装置１０１からはオフラインになる画像形成装置である複合機１０２と、ローカルエリアネットワーク等のネットワーク１０４を介して情報端末装置１０１にオンラインで接続される印刷装置１０３とを含む。本実施形態では、情報端末装置１０１において、原稿データを符号化して符号化画像を生成する符号化画像生成処理と、符号化画像を紙媒体に印刷した場合に要するサイズが紙媒体のサイズを超える場合に、夫々が紙媒体のサイズに収まるように符号化画像を複数ページの分割符号化画像に分割し、印刷装置１０３から、各分割符号化画像を紙媒体の各ページに印刷する分割符号化画像生成処理とが実行される。また、複合機１０２において、紙媒体に印刷された分割符号化画像を読み取る読取り処理と、読取り処理にて読み取った分割符号化画像を復号する復号処理と、復号データ毎に原稿データ中での画像領域を確定する画像領域確定処理と、符号化画像から分割された全ての紙媒体に印刷されている全ての分割符号化画像に対して上述の読取り処理、復号処理、及び画像領域確定処理が終了した後に、符号化画像に対応する全ての画像領域が確定した全ての復号データに基づいて符号化画像に対応する原稿データの印刷を実行する印刷実行処理とが実行される。以上の情報端末装置１０１、印刷装置１０３、及び複合機１０２の連携処理により、原稿データを符号化して生成した符号化画像が紙媒体のサイズを超える場合に、原稿データとの対応関係を取りながら符号化画像を複数ページに分割して生成することが可能となり、高解像度おデータや大きなサイズのデータを符号化することが可能となると共に、ユーザは複合機１０２において効率的なオフライン印刷処理を実行することが可能となる。
【００１２】
図２は、符号化画像生成装置である図１の情報端末装置１０１の実施形態の構成例を示すブロック図である。情報端末装置１０１は、制御部２０１と、外部記憶装置２０２と、入力部２０３と、表示部２０４と、通信インタフェース２０５と、可搬記録媒体インタフェース２０６が、バス２０７によって相互に接続された構成を有する。制御部２０１は更に、原稿データ生成部２１０と、第１プリンタドライバ部として動作する印刷データ生成部２１１、符号化画像生成部２１２、及び分割符号化画像生成部２１３と、第２プリンタドライバ部２１４とを有する。
【００１３】
図２の情報端末装置１０１の構成において、制御部２０１は、２１０から２１４の各部の機能を実現する専用のハードウェア装置、又は特には図示しないメモリに記憶された制御プログラムを実行するプロセッサである。制御部２０１において、原稿データ生成部２１０は、印刷対象となる原稿データを作成するための、ワードプロセッサや表計算ソフトをはじめとする各種アプリケーション実行部である。
【００１４】
制御部２０１で実行される第１プリンタドライバ部に含まれる印刷データ生成部２１１は、原稿データ生成部２１０で生成された原稿データから印刷データを生成する。印刷データは、原稿データに対するイメージ画像データである。
【００１５】
制御部２０１で実行される第１プリンタドライバ部に含まれる符号化画像生成部２１２は、印刷データ生成部２１１が生成した印刷データから、符号化画像を生成する。
【００１６】
制御部２０１で実行される第１プリンタドライバ部に含まれる分割符号化画像生成部２１３は、符号化画像を紙媒体に印刷した場合に要するサイズが紙媒体のサイズを超える場合に、夫々が紙媒体のサイズに収まるように符号化画像生成部２１２が生成した符号化画像を複数ページの分割符号化画像に分割し、各分割符号化画像の紙媒体の各ページへの印刷を第２プリンタドライバ部２１４に指示する。
【００１７】
制御部２０１で実行される第２プリンタドライバ部２１４は、分割符号化画像生成部２１３が各分割符号化画像を生成した後に第１プリンタドライバ部から起動され、図１のネットワーク１０４を介して情報端末装置１０１に接続される印刷装置１０３に対して、第１プリンタドライバ部から引き渡された各分割符号化画像の紙媒体の各ページへの印刷を指示する。
【００１８】
外部記憶装置２０２は、例えばハードディスク記憶装置又は半導体ディスク装置であり、制御部２０１で実行される各種制御プログラムや、原稿データ、印刷データ、符号化画像のデータ、分割符号化画像のデータ等を記憶する。
【００１９】
入力部２０３は、ユーザが原稿データの作成や第１プリンタドライバ部に対する印刷指示を入力するための、例えばキーボードやポインティングデバイスである。出力部１０９は、原稿データや各種データを表示するための、例えば液晶ディスプレイである。
【００２０】
通信インタフェース２０５は、制御部２０１と図１のネットワーク１０４との間のデータの送受信を中継する。
【００２１】
可搬記録媒体インタフェース２０６は、ＵＳＢメモリ、ＳＤカードメモリ、コンパクトフラッシュメモリや、ＣＤ−ＲＯＭ、ＤＶＤ、光ディスク等の可搬記録媒体２０８を収容するもので、外部記憶装置２０２の補助の役割を有する。
【００２２】
本実施形態による情報端末装置１０１は、制御部２０１の各種機能を実現する制御プログラムをプロセッサが実行することで実現されてよく、それらの制御プログラムは、例えば外部記憶装置２０２や可搬記録媒体２０８に記録して配布してもよく、或いは通信インタフェース２０５によりネットワーク１０４（図１）から取得できるようにしてもよい。
【００２３】
図３は、図１の画像形成装置である複合機１０２の実施形態の構成例を示すブロック図である。複合機１０２は、制御部３０１と、プリンタエンジン３０２と、外部記憶装置３０３と、画像読取りユニットを含む原稿台３０４と、操作パネル３０５と、可搬記録媒体インタフェース３０６と、通信インタフェース３０７とが、バス３０８によって相互に接続された構成を有する。制御部３０１は更に、読取り部３１０、復号部３１１、画像領域確定部３１２、及び印刷実行部３１３を有する。
【００２４】
図３の複合機１０２の構成において、制御部３０１は、３１０から３１３の各部の機能を実現する専用のハードウェア装置、又は特には図示しないメモリに記憶された制御プログラムを実行するプロセッサである。
【００２５】
制御部３０１で実行される読取り部３１０は、原稿台３０４の下部に配置される特には図示しない画像読取りユニットを制御することにより、原稿台３０４上に置かれた紙媒体に印刷された分割符号化画像をスキャンして読み取る。
【００２６】
制御部３０１で実行される復号部３１１は、読取り部３１０で読み取られた分割符号化画像から復号データ（印刷データ）及びヘッダ情報を復号する。
【００２７】
制御部２０１で実行される画像領域確定部３１２は、復号部３１１が復号した復号データ毎に、印刷すべき画像領域を確定する。
【００２８】
印刷実行部３１３及び印刷実行部３１３によって制御されるプリンタエンジン３０２は、符号化画像から分割された全ての紙媒体に印刷されている全ての分割符号化画像に対して読取り部３１０、復号部３１１、及び画像領域確定部３１２での一連の処理が終了した後に、符号化画像に対応する全ての画像領域が確定した全ての復号データに基づいて符号化画像に対応する原稿データの製版印刷を実行する。具体的には、印刷実行部３１３は、上記全ての復号データに基づいて製版印刷用の画像データを生成し、プリンタエンジン３０２に出力する。プリンタエンジン３０２は、用紙の給紙、搬送、排紙を制御して、印刷実行部３１３から入力した製版印刷用の画像データの印刷を実行する。
【００２９】
外部記憶装置３０３は、例えばハードディスク記憶装置又は半導体ディスク装置であり、制御部３０１で実行される各種印刷制御プログラムや、復号データや後述するヘッダ情報のデータ、印刷用の画像データ等を記憶する。
【００３０】
操作パネル３０５は、ユーザが各種印刷指示を行ったり、印刷状況の表示等を行うための、例えばタッチパネル及び液晶表示装置である。また、報知部として動作する操作パネル３０５の液晶表示装置には、符号化画像から分割された全ての紙媒体に印刷されている全ての分割符号化画像のうち、読取り部３１０、復号部３１１、及び画像領域確定部３１２による一連の処理が完了している又は完了していない紙媒体の分割符号化画像に関する情報が表示され、ユーザに報知される。具体的には、液晶表示装置には、復号データ中のヘッダ情報に含まれる、分割符号化画像が符号化画像から何番目に分割されたかを示すページ数情報に基づいて、製版印刷を行うために不足している分割符号化画像のページ数に関する情報が表示される。
【００３１】
通信インタフェース３０７は、複合機１０２が特には図示しないローカルエリアネットワーク等に接続される場合に、そのネットワークと制御部３０１との間のデータの送受信を中継する。この通信インタフェース３０７はオプションでよく、本実施形態では特には使用されず、複合機１０２は例えば図１のネットワーク１０４に対してオフラインで使用される。
【００３２】
可搬記録媒体インタフェース３０６は、ＵＳＢメモリ、ＳＤカードメモリ、コンパクトフラッシュメモリや、ＣＤ−ＲＯＭ、ＤＶＤ、光ディスク等の可搬記録媒体３０９を収容するもので、外部記憶装置３０３の補助の役割を有する。
【００３３】
本実施形態による複合機１０２は、制御部３０１の各種機能を実現する印刷制御プログラムをプロセッサが実行することで実現されてよく、それらの制御プログラムは、例えば外部記憶装置３０３や可搬記録媒体３０９に記録して配布してもよく、或いは通信インタフェース３０７によりネットワークから取得できるようにしてもよい。
【００３４】
図４は、図２の分割符号化画像生成部２１３で生成され、第２プリンタドライバ部２１４によって図１の印刷装置１０３で紙媒体に印刷される分割符号化画像の例を示す図である。図４の例では、図２の印刷データ生成部２１１が生成する印刷データ（ジョブデータ）及びヘッダ情報が格納される領域である元データ領域ＡＲ１と、誤り訂正符号のデータが格納される誤り訂正符号データ領域ＡＲ２と、印刷可能な領域（印刷可能領域）において二次元コードの画像が印刷された領域以外の領域である余白領域ＡＲ３と、から構成される領域がデータ領域となる。なお、図４の例では、位置決めマーカＭＫ間に余白部分が存在するが、この部分にもデータを格納するように構成してもよい。符号化画像の具体的な生成方式としては、例えば「特開２０１５−０１１５７３号公報」に開示された技術を採用することができる。
【００３５】
以上の構成を有する実施形態の動作について説明する。図５は、本実施形態の動作説明図である。
【００３６】
まず、図２の情報処理装置において、制御部２０１内の符号化画像生成部２１２にて生成される符号化画像は、図４に示される分割符号化画像の例と同様なデータフォーマットである。この場合、符号化画像を紙媒体に印刷した場合に要するサイズが紙媒体のサイズ、例えばＡ４サイズを超えない場合には、その符号化画像がそのまま第２プリンタドライバ部２１４を介して図１の印刷装置１０３で紙媒体に印刷される。一方、分割符号化画像生成部２１３は、符号化画像を紙媒体に印刷した場合に要するサイズが紙媒体のサイズを超える場合に、夫々が紙媒体のサイズに収まるように符号化画像生成部２１２が生成した符号化画像を複数ページの分割符号化画像に分割する。
【００３７】
上述のように符号化画像を紙媒体に印刷した場合に要するサイズが紙媒体のサイズを超える場合に、分割符号化画像生成部２１３は、図４に例示される各分割符号化画像の余白領域ＡＲ３を調整することにより、各分割符号化画像が紙媒体のサイズに収まるように制御することができる。例えば、図５（ａ）に示されるように、原稿データの領域に対応する破線で示される符号化画像の領域５０１のうち、原稿データの最後の行（図中「ＯＰＱＲＳＴＵ」と表示されている行）に対応する領域が実線で示される紙媒体の印刷可能領域５００に収まらずにはみ出している場合を考える。この場合に、分割符号化画像生成部２１３は、図４に例示される余白領域ＡＲ３を狭くすることにより、原稿データの領域に対応する破線で示される符号化画像の領域５０１の全体が紙媒体のサイズ内に分割符号化画像５０２として収まるように制御する。
【００３８】
上述のような余白の制御により、原稿データに対応する符号化画像の領域の全体が１枚の紙媒体に分割符号化画像として収まるように制御することが可能となり、複合機１０２で原稿台３０４を操作して紙媒体を読み込ませる回数を減らすことが可能となる。
【００３９】
また、前述のように符号化画像を紙媒体に印刷した場合に要するサイズが紙媒体のサイズを超える場合に、分割符号化画像生成部２１３は、複数の分割符号化画像のうちの任意の隣接する第１の分割符号化画像とそれに続く第２の分割符号化画像の組合せにおいて、第１の分割符号化画像の末尾付近に位置するデータを第２の分割符号化画像の先頭に移動させことにより、各分割符号化画像が紙媒体のサイズに収まるように制御することができる。例えば、図５（ｂ）に示されるように、原稿データの領域に対応する破線で示される符号化画像の領域５０１が実線で示される紙媒体の印刷可能領域５００に収まらず、原稿データの英語の文書の１行目（図中「ＡＢＣＤＥＦＧ」と表示されている行）に対応する符号化画像の領域が第１の分割符号化画像５０３（＃１）に含まれ、原稿データの英語の文書の２行目（図中「ＨＩＪＫＬＭＮ」と表示されている行）に対応する符号化画像の領域以降が第２の分割符号化画像５０３（＃２）に含まれてしまうとする。この場合、分割符号化画像生成部２１３は、原稿データの英語の文書の１行目（図中「ＡＢＣＤＥＦＧ」と表示されている行）に対応する符号化画像のデータを第２の分割符号化画像５０２（＃２）の先頭に移動させる制御を実施する。これにより、原稿データの日本語の文書の末尾（図中「あいうえおかき」と表示されている行）と原稿データの英語の文書の１行目（図中「ＡＢＣＤＥＦＧ」と表示されている行）の間（図中の一点鎖線の部分）が、第１の分割符号化画像５０３（＃１）と第２の分割符号化画像５０３（＃２）の境界になるように調整する。
【００４０】
上述のようなページ区切りの制御により、原稿データ中の意味のある区切りにおいて、符号化画像の領域５０１（破線）を第１の分割符号化画像５０３（＃１）と第２の分割符号化画像５０３（＃２）に分割させることが可能となり、複合機１０２で原稿台３０４を操作して複数枚の分割符号化画像を読み込ませるときに、どのあたりまで読込みを行ったかを直感的に把握することが可能となる。
【００４１】
更に、前述のように符号化画像を紙媒体に印刷した場合に要するサイズが紙媒体のサイズを超える場合に、分割符号化画像生成部２１３は、原稿データ中の画像データ部分に対応する符号化画像と原稿データ中の文字データ部分に対応する符号化画像とを、それぞれ異なる分割符号化画像に分割するように制御することができる。例えば、図５（ｃ）に示されるように、原稿データの領域に対応する破線で示される符号化画像の領域５０１のうち原稿データの文字データに対応する領域の途中から、実線で示される紙媒体の印刷可能領域５００に収まらずにはみ出している場合を考える。この場合に、分割符号化画像生成部２１３は、原稿データ中の画像データ部分に対応する符号化画像と、原稿データ中の文字データ部分に対応する符号化画像の間（図中の一点鎖線の部分）が、第１の分割符号化画像５０４（＃１）と第２の分割符号化画像５０４（＃２）の境界になるように調整する。
【００４２】
上述のような画像データと文字データによるページ分割の制御により、原稿データ中の意味のある区切りにおいて、符号化画像の領域５０１（破線）を第１の分割符号化画像５０４（＃１）と第２の分割符号化画像５０４（＃２）に分割させることが可能となり、複合機１０２で原稿台３０４を操作して複数枚の分割符号化画像を読み込ませるときに、どのあたりまで読込みを行ったかを直感的に把握することが可能となる。
【００４３】
以上の制御動作において、分割符号化画像生成部２１３は、分割符号化画像の夫々のヘッダ領域に、分割符号化画像が符号化画像から何番目に分割されたかを示すページ数情報と、符号化画像中での分割符号化画像の範囲を示す領域情報（例えばデータサイズ）を付加してよい。これに対して、図３の複合機１０２の制御部３０１内の画像領域確定部３１２は、紙媒体中の分割符号化画像から復号データを復号する毎に、その復号データに含まれるページ数情報及び領域情報に基づいて、印刷すべき画像領域を確定する。
【００４４】
上述のページ数情報と領域情報が情報端末装置１０１から複合機１０２に受け渡されることにより、複合機１０２の原稿台３０４上でユーザが紙媒体上の分割符号化画像を読み取る順番を間違えたとしても、正しい順序で原稿データに対応する印刷画像の画像領域を確定させることが可能となる。
【００４５】
また、図３の複合機１０２の操作パネル３０５の液晶表示装置には、復号データ中のヘッダ情報に含まれる上記ページ数情報に基づいて、製版印刷を行うために不足している分割符号化画像のページ数に関する情報が表示される。
【００４６】
これにより、ユーザは、複合機１０２での紙媒体の分割符号化画像の読取り操作において、ページ数の不足を把握することが可能となり、読取りデータの漏れを防止することが可能となる。
【００４７】
図６は、図２の構成例を有する情報端末装置１０１の制御部２０１が実行する制御処理の例を示すフローチャートである。この制御処理は、制御部２０１内の２１０から２１４の各部の機能を実現する専用のハードウェア装置の協働動作として実現されてもよく、又は制御部２０１のプロセッサが特には図示しないメモリに記憶された制御プログラムを実行する動作として実現されてもよい。以下の図６のフローチャートの説明において随時、図２の各部を参照するものとする。
【００４８】
情報端末装置１０１のユーザは、原稿データ生成部２１０で実行されているアプリケーションから、第１プリンタドライバ部に対応するプリンタドライバを指定して、印刷命令を実行する。
【００４９】
印刷が実行されると、図６のフローチャートで例示される処理が起動され、まず、印刷データ生成部２１１が、原稿データ生成部２１０で生成された原稿データから印刷画像である印刷データを生成する（ステップＳ６０１）。
【００５０】
次に、符号化画像生成部２１２が、ステップＳ６０１で生成された印刷データから、符号化画像を生成する（ステップＳ６０２）。
【００５１】
次に、分割符号化画像生成部２１３が、ステップＳ６０２で生成された符号化画像を紙媒体に印刷した場合に１ページ以内に収まるか否かを判定する（ステップＳ６０３）。
【００５２】
ステップＳ６０３の判定がＹＥＳならば、分割符号化画像生成部２１３は、ステップＳ６０２で生成された符号化画像を１枚の分割符号化画像として出力し、後述するステップＳ６０９の処理に移行する。
【００５３】
ステップＳ６０３の判定がＮＯならば、分割符号化画像生成部２１３は、符号化画像を紙媒体に印刷する場合の余白を調整することで用紙節約が可能か否かを判定する（ステップＳ６０４）。具体的には、分割符号化画像生成部２１３は、図４に例示される符号化画像の余白領域ＡＲ３を小さくすることにより、紙媒体のサイズからはみ出している符号化画像のデータが紙媒体の１ページ以内に収まるか否かを判定する。
【００５４】
ステップＳ６０４の判定がＹＥＳならば、分割符号化画像生成部２１３は、符号化画像が紙媒体の１ページ以内に収まるように余白を調整する（ステップＳ６０５）。その後、分割符号化画像生成部２１３は、余白が調整された符号化画像を１枚の分割符号化画像として出力し、後述するステップＳ６０９の処理に移行する。
【００５５】
ステップＳ６０４の判定がＮＯならば、分割符号化画像生成部２１３は、符号化画像データを、紙媒体の各ページに収まるように、複数の分割符号化画像に分割する（ステップＳ６０６）。
【００５６】
続いて、分割符号化画像生成部２１３は、ステップＳ６０６で生成された各分割符号化画像のページの切替え部分が、画像の切れ目になっているか否かを判定する（ステップＳ６０７）。ここで、画像の切れ目とは、図５（ｂ）に例示したような異なる種類の言語の切れ目、図５（ｃ）に例示したような画像データと文字データの切れ目、その他、例えば文章データの段落やページの切れ目等である。
【００５７】
ステップＳ６０７の判定がＹＥＳならば、分割符号化画像生成部２１３は、ステップＳ６０６で生成された複数の分割符号化画像を出力し、後述するステップＳ６０９の処理に移行する。
【００５８】
ステップＳ６０７の判定がＮＯならば、分割符号化画像生成部２１３は、ステップＳ６０６で生成された各分割符号化画像のページの切替え部分が画像の切れ目になるように、調整を行う（ステップＳ６０８）。この調整処理は例えば、前述した図５（ｂ）又は図５（ｃ）で説明した処理である。その後、分割符号化画像生成部２１３は、調整後の各分割符号化画像を出力し、ステップＳ６０９の処理に移行する。
【００５９】
ステップＳ６０９においては、第１プリンタドライバ部が、予め第１プリンタドライバ部にプリセットされている図１の印刷装置１０３に対応する第２プリンタドライバ部２１４を起動する。第２プリンタドライバ部２１４は、図１のネットワーク１０４を介して情報端末装置１０１に接続される印刷装置１０３に対して、第１プリンタドライバ部から引き渡された１枚以上の分割符号化画像（１枚の符号化画像を含む）の印刷を指示する。その後、制御部２０１は、図６のフローチャートで示される制御処理を終了する。
【００６０】
図７は、図３の構成例を有する複合機１０２の制御部３０１が実行する制御処理の例を示すフローチャートである。この制御処理は、制御部３０１内の３１０から３１３の各部の機能を実現する専用のハードウェア装置の協働動作として実現されてもよく、又は制御部３０１のプロセッサが特には図示しないメモリに記憶された制御プログラムを実行する動作として実現されてもよい。以下の図７のフローチャートの説明において随時、図３の各部を参照するものとする。
【００６１】
まず、複合機１０２のユーザが、ユーザは、図１の情報端末装置１０１からの指示により印刷装置１０３で印刷した図４に例示される１枚以上の紙媒体を順次原稿台３０４にセットする（ステップＳ７０１）。
【００６２】
次に、複合機１０２のユーザが、操作パネル３０５で読取りボタンを押す。この結果、制御部３０１内の読取り部３１０が、原稿台３０４の下部に配置される特には図示しない画像読取りユニットを制御することにより、原稿台３０４上にセットされた紙媒体に印刷された分割符号化画像をスキャンして読み込む（ステップＳ７０２）。
【００６３】
ステップＳ７０２での読込み動作が終了すると、制御部３０１内の復号部３１１が、読取り部３１０で読み取られた分割符号化画像から復号データ（印刷データ）及びヘッダ情報を復号する。このとき復号部３１１は、図４に例示される４つの位置決めマーカＭＫを検出してデータの読出し領域を決定する。次に、復号部３１１は、決定したデータの読出し領域から、分割符号化画像の最初の一定バイト範囲に記録されているヘッダ情報を読み取る。更に、復号部３１１は、そのヘッダ情報に含まれるデータ総バイト数分の復号データを、ヘッダ情報に続く分割符号化画像のデータ領域から読み出す。これにより、復号部３１１は、図４に例示される元データ領域ＡＲ１のデータと、誤り訂正符号のデータが格納される誤り訂正符号データ領域ＡＲ２のデータを読み出し、誤り訂正符号データ領域ＡＲ２の誤り訂正符号を用いて誤り訂正処理を行いながら元データ領域ＡＲ１中の復号データを復号する（以上、ステップＳ７０３）。
【００６４】
次に、制御部３０内の画像領域確定部３１２が、ステップＳ７０３で復号された復号データに対して、その復号データに含まれるページ数情報及び領域情報に基づいて、印刷すべき画像領域を確定する（ステップＳ７０４）。
【００６５】
続いて、制御部３０１内の画像領域確定部３１２が、情報端末装置１０１において符号化画像から分割された全ての紙媒体に印刷されている全ての分割符号化画像に対して復号処理及び画像領域の確定処理が終了し、製版に必要な復号データが全て揃ったか否かを判定する（ステップＳ７０５）。
【００６６】
ステップＳ７０５の判定がＮＯならば、制御部３０１は、報知部として動作する操作パネル３０５の液晶表示装置に、ステップＳ７０３で復号された復号データ中のヘッダ情報に含まれるページ数情報に基づいて、製版印刷を行うために不足している分割符号化画像のページ数に関する情報を表示させる（ステップＳ７０６）。その後、制御部３０は、ステップＳ７０１の処理に戻り、次の紙媒体の読込み処理に移行し、上述したステップＳ７０１からＳ７０６までの一連の処理を繰り返し実行する。
【００６７】
上記繰返し処理の結果、製版に必要な全ての復号データが揃ってステップＳ７０５の判定がＹＥＳになると、制御部３０１内の印刷実行部３１３は、上記ステップＳ７０１からＳ７０６までの一連の繰返し処理により生成された符号化画像に対応する復号データに基づいて、製版印刷用の画像データを生成し、プリンタエンジン３０２に出力して製版印刷を開始させる（ステップＳ７０７）。その後、制御部３０１は、図７のフローチャートで示される制御処理を終了する。
【００６８】
以上説明した実施形態では、複合機１０２において製版に必要な復号データが全て揃った後に製版印刷が実行されるが、一部の復号データが揃った段階で試し印刷が実行されてもよい。
【００６９】
以上説明した実施形態では、図２の情報端末装置１０１の制御部２０１内の印刷データ生成部２１１が生成する印刷データは、原稿データに対するイメージ画像データであるが、この印刷データは例えば複合機１０２が解析できるプリンタ言語で記述したデータであってもよい。
【００７０】
以上の実施形態に関して、更に以下の付記を開示する。
（付記１）
原稿データを符号化して符号化画像を生成する符号化画像生成部と、
前記符号化画像を紙媒体に印刷した場合に要するサイズが前記紙媒体のサイズを超える場合に、夫々が前記紙媒体のサイズに収まるように前記符号化画像を複数ページの分割符号化画像に分割し、前記各分割符号化画像を前記紙媒体の各ページに印刷する分割符号化画像生成部と、
を備えることを特徴とする情報処理装置。
（付記２）
前記分割符号化画像生成部は、前記原稿データ中の画像データ部分に対応する符号化画像と前記原稿データ中の文字データ部分に対応する符号化画像とを、それぞれ異なる前記分割符号化画像に分割する、ことを特徴とする付記１に記載の情報処理装置。
（付記３）
前記分割符号化画像生成部は、前記分割符号化画像の夫々に、前記分割符号化画像が前記符号化画像から何番目に分割されたかを示すページ数情報と、前記符号化画像中での前記分割符号化画像の範囲を示す領域情報とを付加する、ことを特徴とする付記１又は２に記載の情報処理装置。
（付記４）
紙媒体に印刷された分割符号化画像を読み取る読取り部と、
前記読取り部が読み取った前記分割符号化画像を復号する復号部と、
前記復号データ毎に印刷すべき画像領域を確定する画像領域確定部と、
符号化画像から分割された全ての紙媒体に印刷されている全ての分割符号化画像に対して前記読取り部、前記復号部、及び前記画像領域確定部による処理が終了した後に、前記符号化画像に対応する全ての前記画像領域が確定した全ての前記復号データの印刷を実行する印刷実行部と、
を備えることを特徴とする画像形成装置。
（付記５）
前記画像領域確定部は、前記復号データにそれぞれ含まれる、前記分割符号化画像が前記符号化画像から何番目に分割されたかを示すページ数情報と、前記符号化画像中での前記分割符号化画像の範囲を示す領域情報に基づいて、前記画像領域を確定する、ことを特徴とする付記４に記載の画像形成装置。
（付記６）
前記ページ数情報に基づいて、前記符号化画像に対応する全ての前記画像領域が確定した全ての前記復号データの印刷を実行するために不足しているページ数に関する情報をユーザに報知する報知部を更に備える、ことを特徴とする付記５に記載の画像形成装置。
【符号の説明】
【００７１】
１００  画像形成システム
１０１  情報端末装置
１０２  複合機
１０３  印刷装置
１０４  ネットワーク
２０１、３０１  制御部
２０２、３０３  外部記憶装置
２０３  入力部
２０４  表示部
２０５、３０７  通信インタフェース
２０６、３０６  可搬記録媒体インタフェース
２０７、３０８  バス
２０８、３０９  可搬記録媒体
２１０  原稿データ生成部
２１１  印刷データ生成部
２１２  符号化画像生成部
２１３  分割符号化画像生成部
２１４  第２プリンタドライバ部
３１０  読取り部
３１１  復号部
３１２  画像領域確定部
３１３  印刷実行部
５００  紙媒体
５０１  符号化画像
５０２、５０３、５０４  分割符号化画像
【図１】
2018191037.tif 000003
【図２】
2018191037.tif 000004
【図３】
2018191037.tif 000005
【図４】
2018191037.tif 000006
【図５】
2018191037.tif 000007
【図６】
2018191037.tif 000008
【図７】
2018191037.tif 000009